【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
電子回路が、励起信号およびアナログセンサ信号を受信するように構成され、
電子回路が、生体信号に応答して変動する共振周波数を有し、
電子回路が、励起信号および生体信号を受信すると、応答信号を伝送するように構成され、
アナログ信号の特性が、応答信号を測定することによって決定され得る、
インダクタンスおよび可変容量を提供するように構成された電子回路を備える生体信号検出用装置。
【請求項２】
生体信号が、化学センサ、生化学センサ、磁気センサ、電磁気センサ、生理センサ、および機械センサからなる群より選択されるセンサによって発生される、請求項1記載の装置。
【請求項３】
電子回路が、応答信号をワイヤレス伝送するように構成される、請求項1記載の装置。
【請求項４】
アナログ信号の特性がアナログ信号の振幅である、請求項1記載の装置。
【請求項５】
アナログ信号の特性がアナログ信号の周波数である、請求項1記載の装置。
【請求項６】
生体信号が生体電位によって発生される、請求項1記載の装置。
【請求項７】
励起信号が無線周波数信号である、請求項1記載の装置。
【請求項８】
励起信号がディジタル論理信号である、請求項1記載の装置。
【請求項９】
電子回路が分離レジスタをさらに備える、請求項1記載の装置。
【請求項１０】
電子回路が、インビボで生体信号を受信するように構成される、請求項1記載の装置。
【請求項１１】
電子回路が、被験者の皮下に埋め込まれるように構成される、請求項10記載の装置。
【請求項１２】
電子回路が、被験者の体内に針で挿入されるように構成される、請求項11記載の装置。
【請求項１３】
電子回路が、1ミリメートルの注射針の内腔を通るように構成される、請求項11記載の装置。
【請求項１４】
電子回路が、被験者の皮膚表面に配置されるように構成される、請求項10記載の装置。
【請求項１５】
電子回路が、等価直列容量を形成するように背中合わせに結合された1対のバラクタダイオードを備える、請求項1記載の装置。
【請求項１６】
電子回路にアナログセンサ信号が印加されていないときに電子回路の共振周波数と同等の周波数で励起信号を発信するように構成されたリモート励振器をさらに備える、請求項1記載の装置。
【請求項１７】
励起信号が30MHz〜10GHzの周波数を有する、請求項1記載の装置。
【請求項１８】
励起信号が100MHz〜3GHzの周波数を有する、請求項1記載の装置。
【請求項１９】
励起信号が電子回路に0.5〜5.0ボルトの電圧を誘導する、請求項1記載の装置。
【請求項２０】
生体電位を測定するように構成された、請求項1記載の電子回路を提供する工程;
励起信号を電子回路に提供する工程;
生体電位を有する生体信号を発生し、生体信号を電子回路に伝送する工程;
電子回路から応答信号を伝送する工程;および
生体信号の特性を決定するために、応答信号を測定する工程;
を備える、生体信号特性の決定方法。
【請求項２１】
電子回路が可変共振周波数を備える、請求項20記載の方法。
【請求項２２】
電子回路が、インダクタンスおよび可変容量を提供するように構成される、請求項20記載の方法。
【請求項２３】
電子回路に生体信号が伝送されない場合に電子回路がベース共振周波数を備え、励起信号がベース共振周波数で提供される、請求項20記載の方法。
【請求項２４】
生体信号が、化学センサ、生化学センサ、磁気センサ、電磁気センサ、生理センサ、および機械センサからなる群より選択されるセンサによって発生される、請求項20記載の方法。
【請求項２５】
電子回路がインビボで生体信号を受信する、請求項20記載の方法。
【手続補正２】
【補正対象書類名】明細書
【補正対象項目名】００５９
【補正方法】変更
【補正の内容】
【００５９】
このシステムの別の特徴は、電気的に単純であるため、手術ではなく、医療用途で一般に使用されているような小さな針の内腔を通して人体内にデバイスを埋め込むことができる程度にまで、リモートユニットのサイズを小さくできるため、このような導入の傷跡を最小限にとどめられることである。
［請求項101］
電子回路が、励起信号およびアナログセンサ信号を受信するように構成され、
電子回路が、生体信号に応答して変動する共振周波数を有し、
電子回路が、励起信号および生体信号を受信すると、応答信号を伝送するように構成され、
アナログ信号の特性が、応答信号を測定することによって決定され得る、
インダクタンスおよび可変容量を提供するように構成された電子回路を備える装置。
［請求項102］
生体信号が、化学センサ、生化学センサ、磁気センサ、電磁気センサ、生理センサ、および機械センサからなる群より選択されるセンサによって発生される、請求項101記載の装置。
［請求項103］
電子回路が、応答信号をワイヤレス伝送するように構成される、請求項101記載の装置。
［請求項104］
アナログ信号の特性がアナログ信号の振幅である、請求項101記載の装置。
［請求項105］
アナログ信号の特性がアナログ信号の周波数である、請求項101記載の装置。
［請求項106］
生体信号が生体電位によって発生される、請求項101記載の装置。
［請求項107］
励起信号が無線周波数信号である、請求項101記載の装置。
［請求項108］
励起信号がディジタル論理信号である、請求項101記載の装置。
［請求項109］
電子回路が分離レジスタをさらに備える、請求項101記載の装置。
［請求項110］
電子回路が、インビボで生体信号を受信するように構成される、請求項101記載の装置。
［請求項111］
電子回路が、被験者の皮下に埋め込まれるように構成される、請求項110記載の装置。
［請求項112］
電子回路が、被験者の体内に針で挿入されるように構成される、請求項111記載の装置。
［請求項113］
電子回路が、1ミリメートルの注射針の内腔を通るように構成される、請求項111記載の装置。
［請求項114］
電子回路が、被験者の皮膚表面に配置されるように構成される、請求項110記載の装置。
［請求項115］
電子回路が、等価直列容量を形成するように背中合わせに結合された1対のバラクタダイオードを備える、請求項101記載の装置。
［請求項116］
電子回路にアナログセンサ信号が印加されていないときに電子回路の共振周波数と同等の周波数で励起信号を発信するように構成されたリモート励振器をさらに備える、請求項101記載の装置。
［請求項117］
励起信号が30MHz〜10GHzの周波数を有する、請求項101記載の装置。
［請求項118］
励起信号が100MHz〜3GHzの周波数を有する、請求項101記載の装置。
［請求項119］
励起信号が電子回路に0.5〜5.0ボルトの電圧を誘導する、請求項101記載の装置。
［請求項120］
生体電位を測定するように構成された電子回路を提供する工程;
励起信号を電子回路に提供する工程;
生体電位を有する生体信号を発生し、生体信号を電子回路に伝送する工程;
電子回路から応答信号を伝送する工程;および
生体信号の特性を決定するために、応答信号を測定する工程;
を備える、生体特性の測定方法。
［請求項121］
電子回路が可変共振周波数を備える、請求項120記載の方法。
［請求項122］
電子回路が、インダクタンスおよび可変容量を提供するように構成される、請求項120記載の方法。
［請求項123］
電子回路に生体信号が伝送されない場合に電子回路がベース共振周波数を備え、励起信号がベース共振周波数で提供される、請求項120記載の方法。
［請求項124］
生体信号が、化学センサ、生化学センサ、磁気センサ、電磁気センサ、生理センサ、および機械センサからなる群より選択されるセンサによって発生される、請求項120記載の方法。
［請求項125］
生体信号の特性が生体信号の振幅である、請求項120記載の方法。
［請求項126］
生体信号の特性が生体信号の周波数である、請求項120記載の方法。
［請求項127］
電子回路が応答信号をワイヤレス伝送する、請求項120記載の方法。
［請求項128］
励起信号が無線周波数信号である、請求項120記載の方法。
［請求項129］
電子回路が分離レジスタをさらに備える、請求項120記載の方法。
［請求項130］
電子回路がインビボで生体信号を受信する、請求項120記載の方法。
［請求項131］
電子回路を被験者の皮下に埋め込む工程をさらに備える、請求項130記載の方法。
［請求項132］
被験者に針で電子回路を埋め込む工程をさらに備える、請求項131記載の方法。
［請求項133］
針が中空の針である、請求項132記載の方法。
［請求項134］
電子回路が、1ミリメートルの注射針の内腔を通るように構成される、請求項131記載の方法。
［請求項135］
被験者の皮膚表面上に電子回路を配置する工程をさらに備える、請求項130記載の方法。
［請求項136］
電子回路が、等価直列容量を形成するために背中合わせに結合された1対のバラクタダイオードを備える、請求項120記載の方法。
［請求項137］
アナログセンサ信号が電子回路に印加されていないときに電子回路の共振周波数と同等の周波数で励起信号を発信するためのリモート励振器を使用する工程をさらに備える、請求項120記載の方法。
［請求項138］
励起信号が30MHz〜10GHzの周波数を有する、請求項120記載の方法。
［請求項139］
励起信号が100MHz〜3GHzの周波数を有する、請求項120記載の方法。
［請求項140］
励起信号が電子回路に0.5〜5.0ボルトの電圧を誘導する、請求項120記載の方法。
［請求項141］
回路に印加される高インピーダンス生体電気またはバイオセンサ源からの低レベルアナログ電位が、容量性リアクタンスを変動させ、そしてアナログ波形包絡線の振幅に比例して該回路の共振を変化させる、共振回路を形成するインダクタンスに電圧可変容量性リアクタンスが結合されるようにデバイスを構成する電子コンポーネント装置。
［請求項142］
容量性リアクタンスが、少なくとも1つの電子コンポーネントによって提供される、請求項141記載のデバイス。
［請求項143］
電子コンポーネントがバラクタダイオードである、請求項142記載のデバイス。
［請求項144］
容量性リアクタンスがp-n接合容量によって提供される、請求項141記載のデバイス。
［請求項145］
アセンブリが、無線励振器信号を検出可能に後方散乱するとともに、該無線励振器のリモート検出可能な無線高調波を発生させる、前記インダクタンスにおいて十分な信号が誘導されるようにコンポーネントシステムの共振周波数に同調させたリモート無線励振器を備えるようにさらに規定された、請求項141記載のデバイス。
［請求項146］
後方散乱信号を検出および復調する無線受信機を備えるようにさらに規定され、復調プロセスが同技術に従い、このような方法が、元の変調信号を再現するための直接変換復調、AM、FM、または位相復調を含んでもよい、請求項145記載のデバイス。
［請求項147］
共振回路を形成するインダクタンスと組み合わせた時変容量性リアクタンスを有するデバイスがパラメトリック増幅の原理に従って電気信号変調のパラメトリック増幅を生じるのに十分な振幅の、ポンプ信号として公知の印加された無線励振器信号によって電圧可変容量性リアクタンスが電気的に駆動され、次に、増幅プロセスが、変調信号に対するデバイスの感度を実質的に高める、請求項145記載のデバイスを使用する方法。
［請求項148］
生体電気信号を検出するために使用される2つの生体電位電極を構成する異種の金属によって発生される従来の小型オンデバイスバッテリによってオフセット電位が発生されてもよく、異種の半電池電位を有する電極金属を使用することで自然にバイアス電圧が生じる、電気オフセット電位で生体電気またはバイオセンサ入力信号を合計する方法によって、可変容量の適切な電気動作点に必要なバイアス電圧を発生する方法。
［請求項149］
心臓、脳、および神経系から生じる生体電気信号を遠隔測定するために、デバイスが人体内に埋め込まれ、生体電位電極に接続される、請求項148記載の方法。
［請求項150］
デバイスが生化学センサまたは物理センサに接続され、センサからの信号がベースステーションにワイヤレス伝送される、請求項148記載の方法。
［請求項151］
デバイスが、癲癇などの生体電気性質の神経疾患を診断および検出する目的で、脳の電気活動の機能をモニタするために使用される、請求項148記載の方法。
［請求項152］
心臓リズムおよび電気的機能性を制御するデバイスを制御する目的で、心臓の生体電気活動をモニタするためのデバイスが心臓内または心臓上に配置される、請求項148記載の方法。